(57)【要約】      （修正有）【課題】  必要なときに所望の量だけフッ素を発生させるコンパクトな、保守作業の容易なフッ素電解装置を得る。【解決手段】  フッ化水素含有溶融塩を電気分解しフッ素を発生させるフッ素電解装置において、フッ素電解装置は、フッ化水素含有溶融塩を収納し電気分解する電解槽と、電解電極としての陽極と陰極３０を有し、陽極は、陽極上部２１と陽極下部２２が一体的に炭素から形成され、陽極上部２１は、その上端が電解槽の上部外壁から外部に突出して装着され、陽極下部２２は、断面略逆Ｕ字形又は、炭素板を平行に並べて形成され、断面略逆Ｕ字形の内部又は平行な炭素板の間に凹部２３を有し、陰極３０は、陽極２０の断面略逆Ｕ字形の凹部に装着され、陰極３０と凹部２３の間には、陰極を覆う断面略逆Ｕ字形の隔膜１２を装着したフッ素電解装置である。【選択図】図２
2006089820.tif 000002
【特許請求の範囲】
【請求項１】
フッ化水素含有溶融塩を電気分解しフッ素を発生させるフッ素電解装置において、
上記フッ素電解装置は、フッ化水素含有溶融塩を収納し電気分解する電解槽と、電解電極としての陽極と陰極を有し、
該陽極は、陽極上部と陽極下部が一体的に炭素から形成され、上記陽極上部は、その上端が上記電解槽の上部外壁から外部に突出して装着され、上記陽極下部は、断面略逆Ｕ字形に形成され、該断面略逆Ｕ字形の内部に凹部を有し、
上記陰極は、上記陽極の断面略逆Ｕ字形の上記凹部に装着され、上記陰極と断面略逆Ｕ字形の上記凹部の間には、上記陰極を覆う断面略逆Ｕ字形の隔膜を装着したフッ素電解装置。
【請求項２】
フッ化水素含有溶融塩を電気分解しフッ素を発生させるフッ素電解装置において、
フッ素電解装置は、フッ化水素含有溶融塩を収納し電気分解する電解槽と、電解電極としての陽極と陰極を有し、
該陽極は、陽極上部と陽極下部から形成され、上記陽極上部は、金属から形成され、その上端が上記電解槽の上部外壁から外部に突出して装着され、上記陽極下部は、複数の炭素板から形成され、複数の上記陽極下部の上端が上記陽極上部の下端の両側にそれぞれ白金製の固定具又は白金で被覆された固定具により固着されて、上記陽極上部下端と上記陽極下部により断面略逆Ｕ字形に形成され、該断面略逆Ｕ字形の内部に凹部を有し、
上記陰極は、上記陽極の断面略逆Ｕ字形の上記凹部に装着され、上記陰極と上記断面略逆Ｕ字形の上記凹部の間には、上記陰極を覆う断面略逆Ｕ字形の隔膜を装着したフッ素電解装置。
【請求項３】
上記陽極下部の上端と上記陽極上部の下端の固着部分又は該固着部分を含む上記陽極の炭素板に白金コーティングが施された請求項２に記載のフッ素電解装置。
【請求項４】
上記隔膜は、モネルで形成された請求項１乃至請求項３のいずれかに記載のフッ素電解装置。
【請求項５】
上記陽極下部は、複数の断面略逆Ｕ字形に形成され、その複数の断面略逆Ｕ字形の内部にそれぞれ凹部を有し、該凹部にそれぞれ陰極が装着された請求項１乃至請求項４のいずれかに記載のフッ素電解装置。
【請求項６】
フッ化水素含有溶融塩を電気分解しフッ素を発生させるフッ素電解装置において、
上記フッ素電解装置は、フッ化水素含有溶融塩を収納し電気分解する電解槽と、電解電極としての陽極と陰極を有し、上記陽極は、複数の炭素板が間隔を置いて平行に固定されて形成されるとともに、上記陽極の上端が上記電解槽の上部外壁から外部に突出して装着され、上記陽極の平行に固定された炭素板の間の下方にそれぞれ上記陰極が装着され、上記陰極と上記平行の炭素板の間には、上記陰極を覆う断面略逆Ｕ字形の隔膜を装着したフッ素電解装置。
【請求項７】
上記隔膜は、上記陰極と陽極の間に装着された断面略逆Ｕ字形の内側隔膜と、上記陽極の外周に装着された外側隔膜から形成された請求項１乃至請求項６のいずれかに記載のフッ素電解装置。
【発明の詳細な説明】
【技術分野】
【０００１】
本発明は、フッ化水素含有溶融塩を電気分解し、フッ素を発生させるフッ素電解装置に関する。
【背景技術】
【０００２】
フッ素ガスは、フッ化水素含有溶融塩、即ち、フッ化カリウムとフッ化水素等の混合溶融塩を電解液として電気分解する、フッ素電解装置を使用して製造されている。
このフッ素ガスの製造は、通常、大型のフッ素電解装置を使用して製造されている。製造されたフッ素ガスは、例えば、ボンベ等に充填されて、半導体の製造工場に運搬されて、半導体の製造工程において、半導体のエッチングに使用されるために、半導体の製造設備の付近に供給されている。
【０００３】
しかしながら、フッ素ガスは、反応性が高く、ボンベ出口の部分の腐食等のため、貯蔵中にフッ素ガスが漏洩する恐れもあった。このため、ボンベ中に高圧で、毒性のあるフッ素ガスを貯蔵することが困難であり、ボンベ１本あたりの貯蔵量を多くすることができなかった。一方、半導体の製造工程において、フッ素ガスの欠乏から製造が停止することを防止するため、多量のフッ素ガスボンベを保管しておく場合があった。
また、フッ素ガスは高価なため、多量のフッ素ガスを貯蔵しておくこともコストアップの要因となり、好ましくなかった。
【０００４】
これを解決するため、半導体の製造工程において、製造に必要な量だけ、フッ素ガスを適時供給することが望まれていた。これに応じて、それぞれの半導体の製造工程に近接してフッ素電解装置を設置するには、コンパクトな、保守の容易な装置が必要であった。
また、フッ素ガスの製造として、フッ化カリウムとフッ化水素の混合溶融塩を電解するためには、陽極として炭素が使用され、陰極や電解槽には金属が使用されている。
大型のフッ素電解装置においては、電極も大型となり、電極を保持する部材や、陽極の炭素板は、電解中に破損や破壊しないように強度が大きいものが必要とされ、また、いわゆる陽極効果の発生を防止する必要もあった。
【０００５】
この炭素電極に電流を供給し、炭素電極を保持するために、金属製の炭素電極の保持部材を使用している。しかし、電解層の溶融塩の上部の気相部分は、反応性の激しいフッ素ガスに晒されるため、この気相部分に存在する炭素電極の保持部分は、炭素電極に電解電流を流すときに、炭素電極と、その保持部分の金属が接触していたが、腐食性の強いフッ化水素等がその接触部分に侵入し、保持部分の金属を腐食させていた。この腐食により炭素電極とその保持部分の強度も低下していた。
【０００６】
この金属が腐食による接触抵抗の増加のため、通電中に接触部分が発熱して、炭素電極が破損する場合もあった。このため、炭素電極の保持部分にフッ素ガスの腐食に強い耐蝕性の金属膜を形成することも試みられている（例えば、特許文献１参照）。
しかしながら、金属膜と炭素電極との間にフッ素ガスやフッ化水素ガスが侵入したりして、その耐蝕性は必ずしも充分でなく、耐蝕性の充分な長期間安定的に作動する炭素電極が望まれていた。
【特許文献１】特開２０００−３１３９８１号公報
【発明の開示】
【発明が解決しようとする課題】
【０００７】
そこで、フッ素ガスを使用する場所の付近で、必要なときに所望の量だけフッ素を発生させるコンパクトな、保守作業の容易なフッ素電解装置が必要とされていた。
そして、陽極を実質的に炭素のみで形成することにより本発明をなすことができた。
【課題を解決するための手段】
【０００８】
上記課題を解決するために請求項１の本発明は、フッ化水素含有溶融塩を電気分解しフッ素を発生させるフッ素電解装置において、
フッ素電解装置は、フッ化水素含有溶融塩を収納し電気分解する電解槽と、電解電極としての陽極と陰極を有し、陽極は、陽極上部と陽極下部が一体的に炭素から形成され、陽極上部は、その上端が電解槽の上部外壁から外部に突出して装着され、陽極下部は、断面略逆Ｕ字形に形成され、断面略逆Ｕ字形の内部に凹部を有し、陰極は、陽極の断面略逆Ｕ字形の凹部に装着され、陰極と断面略逆Ｕ字形の凹部の間には、陰極を覆う断面略逆Ｕ字形の隔膜を装着したフッ素電解装置である。
【０００９】
請求項１の本発明では、フッ素電解装置は、フッ化水素含有溶融塩を収納し電気分解する電解槽と、電解電極としての陽極と陰極を有し、陽極は、陽極上部と陽極下部が一体的に炭素から形成されている。このため、陽極は炭素のみで形成され、陽極において接合部分がないため、強度も強く、電解槽内に陽極とその保持部材との接触部分がなく、電気的接触抵抗が生ずることがない。
陽極上部は、その上端が電解槽の上部外壁から外部に突出して装着されるため、電解槽の上部外壁から外部に突出した部分で電解電流を受電することができる。したがって、炭素電極の受電部分が電解槽内になく、フッ化水素等にさらされることなく、接触抵抗が増加することはない。
【００１０】
陽極下部は、断面略逆Ｕ字形に形成され、断面略逆Ｕ字形の内部に凹部を有し、陰極は、断面略逆Ｕ字形の凹部に装着されている。このため、陰極と対向する陽極下部の表面積が大きくなり、電気分解によるフッ素ガスの発生を多くすることができる。また、陰極を陽極の断面略逆Ｕ字形の凹部に挿入して装着することができるため、両極の距離を短くすることができ、電解効率を上げることができる。
さらに、陰極と断面略逆Ｕ字形の凹部の間には、陰極を覆う断面略逆Ｕ字形の隔膜を装着した。このため、陰極を陽極に接近させて装着しても、陽極で発生したフッ素ガスを、陰極で発生した水素ガス等から確実に分離することができる。
【００１１】
請求項２の本発明は、フッ化水素含有溶融塩を電気分解しフッ素を発生させるフッ素電解装置において、
フッ素電解装置は、フッ化水素含有溶融塩を収納し電気分解する電解槽と、電解電極としての陽極と陰極を有し、陽極は、陽極上部と陽極下部から形成され、陽極上部は、金属から形成され、その上端が電解槽の上部外壁から外部に突出して装着され、陽極下部は、複数の炭素板から形成され、複数の陽極下部の上端が陽極上部の下端の両側にそれぞれ白金製の固定具又は白金で被覆された固定具により固着されて、陽極上部下端と陽極下部により断面略逆Ｕ字形に形成され、断面略逆Ｕ字形の内部に凹部を有し、陰極は、断面略逆Ｕ字形の凹部に装着され、陰極と陽極の断面略逆Ｕ字形の凹部の間には、陰極を覆う断面略逆Ｕ字形の隔膜を装着したフッ素電解装置である。
【００１２】
請求項２の本発明では、フッ素電解装置は、フッ化水素含有溶融塩を収納し電気分解する電解槽と、電解電極としての陽極と陰極を有し、陽極は、陽極上部と陽極下部から形成され、陽極上部は、金属から形成されている。このため、陽極は陽極上部と陽極下部を別々に形成することができ、別々の素材を使用することができ、製造が容易であり、コストも下げることができる。
陽極上部は、金属から形成され、その上端が電解槽の上部外壁から外部に突出して装着されており、金属から形成されているため、加工が容易であり、後述する陽極下部を取り付けるネジ孔等を容易に形成することができる。電解槽の上部外壁から外部に突出した陽極上部の上端に電解電流を流す電線を接続することにより電解を行なうことができる。
【００１３】
陽極下部は、複数の炭素板から形成され、複数の陽極下部の上端が陽極上部の下端の両側にそれぞれ白金製の固定具又は白金で被覆された固定具により固着されている。このため、陽極下部は炭素板のみで形成され製造が容易であり、金属製の陽極上部と炭素製の陽極下部とを腐食性のない固定具で強固に固着でき、固着部分が破損し難くさせることができる。また、金属製の陽極上部と炭素製の陽極下部との接触抵抗を減少させることができる。
【００１４】
陽極上部下端と陽極下部により断面略逆Ｕ字形に形成され、断面略逆Ｕ字形の内部に凹部を有し、陰極は、陽極の断面略逆Ｕ字形の凹部に装着され、陰極と断面略逆Ｕ字形の凹部の間には、陰極を覆う断面略逆Ｕ字形の隔膜を装着した。このため、陽極下部の表面積が大きくなり、電気分解によるフッ素ガスの発生を多くすることができる。さらに、陰極を陽極の断面略逆Ｕ字形の凹部に挿入して装着することができるため、両極の距離を短くすることができ、電解効率を上げることができる。
また、陰極と断面略逆Ｕ字形の凹部の間には、断面略逆Ｕ字形の隔膜を装着した。このため、陰極を陽極に接近させて装着しても、陽極で発生したフッ素ガスを陰極で発生した水素ガス等から確実に分離することができる。
【００１５】
請求項３の本発明は、陽極下部の上端と陽極上部の下端の固着部分又は固着部分を含む陽極の炭素板に白金コーティングが施されたフッ素電解装置である。
【００１６】
請求項３の本発明では、陽極下部の上端と陽極上部の下端の固着部分又は固着部分を含む陽極の炭素板に白金コーティングが施されたため、腐食しない白金の膜で、陽極下部の上端と陽極上部の下端の固着部分又は炭素板を覆うことができ、腐食性の強いフッ化水素が侵入することを防止することができる。このため、陽極下部の上端と陽極上部の下端の固着部分の接触抵抗が増大することを防止でき、陽極の寿命を延ばすことができる。
【００１７】
請求項４の本発明は、隔膜は、モネルで形成されたフッ素電解装置である。
【００１８】
請求項４の本発明では、隔膜は、モネルで形成されたため、腐食に強く、フッ化水素浴中でも長時間使用することができ、引張強さも強く陽極の形状に応じた加工ができ、フッ素電解装置をコンパクトに形成することができる。
【００１９】
請求項５の本発明は、陽極下部は、複数の断面略逆Ｕ字形に形成され、その複数の断面略逆Ｕ字形の内部にそれぞれ凹部を有し、凹部にそれぞれ陰極が装着されたフッ素電解装置である。
【００２０】
請求項５の本発明では、陽極下部は、複数の断面略逆Ｕ字形に形成され、その複数の断面略逆Ｕ字形の内部にそれぞれ凹部を有し、凹部にそれぞれ陰極が装着されたため、そのそれぞれ凹部に陰極を装着して電解をすることができる。このため、陰極を複数設けることができ、その陰極に対向する陽極をそれぞれ設けることができるため、陽極の表面積を大きくすることができ、フッ素の発生量を多くすることができる。したがって、コンパクトなフッ素電解装置で、多量のフッ素を発生させることができる。
【００２１】
請求項６の本発明は、フッ化水素含有溶融塩を電気分解しフッ素を発生させるフッ素電解装置において、
フッ素電解装置は、フッ化水素含有溶融塩を収納し電気分解する電解槽と、電解電極としての陽極と陰極を有し、陽極は、複数の炭素板が間隔を置いて平行に固定されて形成されるとともに、陽極の上端が電解槽の上部外壁から外部に突出して装着され、陽極の平行に固定された炭素板の間の下方にそれぞれ陰極が装着され、陰極と平行の炭素板の間には、陰極を覆う断面略逆Ｕ字形の隔膜を装着したフッ素電解装置である。
【００２２】
請求項６の本発明では、フッ素電解装置は、フッ化水素含有溶融塩を収納し電気分解する電解槽と、電解電極としての陽極と陰極を有し、陽極は、複数の炭素板が間隔を置いて平行に固定されて形成されている。このため、炭素板を平行に固着すればよく、陽極の製造が容易である。
陽極の上端が電解槽の上部外壁から外部に突出して装着されているため、請求項１の発明と同様に、電解槽の上部外壁から外部に突出した部分で、電解電流を受電することができる。従来炭素電極に電解電流を流すときに、電解層の内部で炭素電極と、その炭素電極を保持し電解電流を流す金属が接触していたが、本発明では陽極は実質的に炭素のみで形成され、この場合に腐食性の強いフッ化水素等がその接触部分に侵入し、接触抵抗を増加させ、発熱等の原因となっていた。したがって、炭素電極の受電部分がフッ化水素等にさらされることなく、接触抵抗が増加することはない。
【００２３】
陽極の平行に固定された炭素板の間の下方にそれぞれ陰極が装着され、陰極と平行の炭素板の間には、陰極を覆う断面略逆Ｕ字形の隔膜を装着した。このため、陰極と対面する陽極の下方の部分は２面となり、表面積が大きく、電気分解によるフッ素ガスの発生を多くすることができる。さらに、陰極を陽極の炭素板の間にそれぞれ挿入して装着することができるため、両極の距離を短くすることができ、電解効率を上げることができる。
さらに、陰極と陽極の炭素板の間には、断面略逆Ｕ字形の隔膜を装着した。このため、陰極を陽極に接近させて装着しても、陽極で発生したフッ素ガスを、陰極で発生した水素ガス等から確実に分離することができる。
【００２４】
請求項７の本発明は、隔膜は、陰極と陽極の間に装着された断面略逆Ｕ字形の内側隔膜と、陽極の外周に装着された外側隔膜から形成されたフッ素電解装置である。
【００２５】
請求項７の本発明では、隔膜は、陰極と陽極の間に装着された断面略逆Ｕ字形の内側隔膜と、陽極の外周に装着された外側隔膜から形成されたため、陰極から発生する水素ガス等と陽極から派生するフッ素ガスを分離して捕集することができるばかりでなく、電解層の外壁を陰極とした場合も、電解層の外壁から発生する水素ガス等と陽極から派生するフッ素ガスを分離して捕集することができる。
【発明の効果】
【００２６】
本発明は、陽極の下方部分を断面略逆Ｕ字形又は複数枚の板状にしたため、陽極下部の表面積が大きくなり、電気分解によるフッ素ガスの発生を多くすることができる。さらに、陰極を陽極の間に挿入して装着することができるため、両極の距離を短くすることができ、電解効率を上げることができる。
陽極を実質的に炭素のみで形成し接合部分が無くするか、あるいは、接合部等を白金で固着したため、腐食性の強いフッ化水素に対しても耐食性が高く、強度も強く、電気的接触抵抗が増加することがない。
【発明を実施するための最良の形態】
【００２７】
本発明の実施の形態を、図１〜図９に基づき説明する。
まず、図１〜図４により第１の実施の形態を説明する。図１は、本発明の実施の形態であるフッ素電解装置の模式図である。図２は、図１の中央部分での断面図である。
フッ素電解装置は電解槽１０と、電解槽１０の中に装着される電解電極である陽極２０、陰極３０等から形成される。
【００２８】
電解槽１０は、断面が略四角形に形成され、内部にはフッ化水素含有溶融塩、即ち、フッ化カリウムとフッ化水素の混合溶融塩を電解液として貯留している。電解槽１０の外壁１１は、内部が中空状に形成され、この中空状の内部に温水が循環している。
循環する温水は、送水口４３から温度調整器４０の水槽に送られ、温度調整器４０により所定の一定温度に保たれる。即ち、温度調整器４０の水槽にはヒーター４１が挿入され、水温を温度計４２で測定し、その水温に応じてヒーター４１により加熱され、温水は一定温度に保たれる。その温水は、ポンプ４５により送水管４６を通り、電解槽１０の外壁１１に送られる。この温水により外壁１１を介して、フッ化カリウムとフッ化水素の混合溶融塩は、温められて恒温に保たれる。
【００２９】
電解槽１０の上面には、上部外壁１１aが蓋として設けられている。この上部外壁１１aから電解槽１０の内部に向かって、陽極２０と陰極３０及び隔壁１２が垂下して装着されている。陽極２０と陰極３０及び隔壁１２の構造は後述する。
さらに、上部外壁１１aの隔壁１２に囲まれた陽極２０の付近に陽極ガス出口１３が設けられている。この陽極ガス出口１３から電解により陽極から発生したフッ素ガスが取り出される。
上部外壁１１aの隔壁１２に囲まれた部分の外側の外壁１１の側部付近に陰極ガス出口１４が設けられ、電解により陰極から発生した水素ガスが取り出される。
【００３０】
また、上部外壁１１aには、フッ化水素投入口１６が設けられ、電解により減少したフッ化水素を電解槽１０に補充する。
さらに、上部外壁１１aにサンプリング取出し部１７が設けられ、電解槽１０内の状態を監視することができる。また、上部外壁１１aに温度計１８とレベルゲージ１９も装着され、電解槽１０の内部のフッ化水素含有溶融塩の温度と量を監視することができる。
【００３１】
次に、陽極２０と陰極３０及び隔壁１２の構造と取付け状態を説明する。
陽極２０は、第１の実施の形態では、図３と図４に示す形状を有している。図３は、陽極２０の正面図であり、図４は、陽極２０の側面図である。陽極２０は、陽極上部２１と陽極下部２２から構成され、炭素のみにより一体的に形成される。陽極２０の大きさは、例えば、縦が３０〜４０ｃｍ、横が２０〜３０ｃｍ、幅が１０〜２０ｃｍ程度にすることができる。陽極２０は、この程度の大きさのため、炭素のみで形成されても強度的には充分である。陽極２０は、陽極上部２１と陽極下部２２が一体的に炭素のみから形成されているため、陽極２０において接合部分がなく、強度も強く、陽極２０相互の接触部分がなく電気的接触抵抗が生ずることがない。陽極上部２１と、後述する陽極下部２２は、一体に形成されて、１個の炭素のブロックから削りだすことにより形成することができる。
【００３２】
陽極上部２１は、板状に形成され、その上端は上部外壁１１aから外部に向けて突出している。陽極上部２１は、１本又は図３に示すように複数本とすることができる。陽極上部２１は、上部外壁１１aと絶縁シール材１５を介して絶縁され、固定されている。この陽極上部２１は、外周にアクリル等の高分子製のパイプ５０を被せ、パイプ５０と陽極上部２１との隙間にエポキシ樹脂等を充填して絶縁性を高め、円柱状にすることにより絶縁シール材１５との間の機密性向上させている。陽極上部２１の上端には電線が接続される突起が設けられ、直流電源（図示せず）から電解電流を受電する。
電解槽１０の内部で炭素電極を保持する場合と比べて、炭素電極と金属の接触部分が電解槽１０の内部に存在しなく、炭素電極とその保持部分が腐食性の強いフッ化水素等にさらされることなく、接触抵抗が増加することはない。
【００３３】
陽極下部２２は、図４に示すように断面が略逆Ｕ字形をなし、陽極下部上辺２２ａ、陽極下部右辺２２ｂ、陽極下部左辺２２ｃから形成されている。陽極下部２２の断面略逆Ｕ字形の内部は、陽極下部凹部２３となり、後述する陰極３０が挿入される。
陽極下部２２は、電解槽１０のフッ素含有溶融塩中に挿入され、陰極３０との間で電解が行なわれる。このとき、陽極下部２２は、陽極下部凹部２３の上部に若干空間ができる程度にフッ素含有溶融塩中に挿入されることが、電解により発生したガスを収集する上で好ましい。
【００３４】
陰極３０は、板状に形成され、上述のように陽極下部凹部２３内部に挿入される。陰極３０は、電解槽外壁１１が金属製であるため、電解槽外壁１１と接続され、電解槽外壁１１は、直流電源（図示せず）と接続されている。このため、電解槽外壁１１も陰極の作用をすることができる。陰極３０は、ニッケル等の耐蝕性の金属を使用することができる。
陽極下部２２は、断面略逆Ｕ字形に形成され、内部に陽極下部凹部２３を有し、陰極３０は、断面略逆Ｕ字形の凹部２３に装着されている。このため、陰極３０に対面する陽極下部２２の表面は２面となり、電気分解によるフッ素ガスの発生を多くすることができる。さらに、陰極３０を陽極２０の断面略逆Ｕ字形の陽極下部凹部２３に挿入して装着し、後述する内側隔膜１２aで発生ガスを分離することができるため、両極の距離を短くすることができ、電解液の抵抗を減少させ、電解効率を上げることができる。
【００３５】
陽極２０と陰極３０からそれぞれ発生する電解ガスが混合しないように隔膜１２が装着される。隔膜１２は、図２に示すように、陰極３０の周囲に装着される内側隔膜１２aと陽極２０の周囲に装着される外側隔膜１２ｂから形成される。
隔膜は１２、モネルで形成されたため、腐食に強く、フッ化水素浴中でも長時間使用することができ、引張強さも強く陽極２０の形状に応じた加工ができ、フッ素電解装置をコンパクトに形成することができる。
【００３６】
内側隔膜１２aは、陰極３０の周囲に、断面略Ｕ字形に形成される。内側隔膜１２aは、多数の孔が設けられ、フッ素含有溶融塩が移動可能であるとともに、電解電流が陽極２０と陰極３０の間を流れることができる。内側隔膜１２aの断面略Ｕ字形の上部は孔が設けられていない。このため陰極３０で発生した水素等の分解ガスは、内側隔膜１２aの断面略Ｕ字形の上部に溜まり、その上部を左右の端部に向けて移動する。
内側隔膜１２aの上部は、図３に示すように、断面を陽極下部凹部２３に合わせてコーナーが角ばった形状とすることが好ましい。
【００３７】
外側隔膜１２ｂは、陽極２０の外周に、陽極２０の全周にわたり取り巻くように装着される。外側隔膜１２ｂは、フッ素含有溶融塩中に挿入される下方の部分は、陰極３０の周囲に装着される内側隔膜１２aと同様に多数の孔が設けられ、フッ素含有溶融塩の上に装着される上方部分は、孔が設けられていない。陽極２０は、内側隔膜１２aと外側隔膜１２ｂによって周囲を囲まれている。外側隔膜１２ｂの上端は、上部外壁１１aに陽極上部２１を取り囲んで取付けられ、外側隔膜１２ｂと上部外壁１１aとフッ素含有溶融塩の表面とで閉鎖された空間を形成する。このため、陽極２０から電解により発生したフッ素ガスは、陽極上部２１を取り囲んで取付けられた外側隔膜１２ｂにより仕切られた空間に捕集されて、陽極ガス出口１３から取り出される。
【００３８】
内側隔膜１２aと外側隔膜１２ｂは、図１における左右の端でそれぞれ一体的に連結されている。したがって、内側隔膜１２aの断面略Ｕ字形の上部の孔の設けられていない部分は、外側隔膜１２ｂの上部の孔の設けられていない部分と連続している。
このため、内側隔膜１２aの断面略Ｕ字形の上部に溜まり、その上部を左右の端部に向けて移動した陰極３０の発生ガスは、外側隔膜１２ｂ、電解槽外壁１１、上部外壁１１aとフッ素含有溶融塩の表面とで形成された空間に流出し、電解槽外壁１１から発生したガスとともに捕集され、陰極ガス出口１４から取り出される。
このようにして、陽極２０と陰極３０から発生したガスは、混合することなく分離して、取り出すことができる。
【００３９】
次に、図５に基づき、第２の実施の形態を説明する。第２の実施の形態は、陽極２０の形状が異なり、他の部分は第１の実施の形態と同様であり、異なる分部を中心に説明し、同じ部分は説明を省略する。
図５は、陽極２０の正面図である。陽極２０は、陽極上部２１と陽極下部２２から構成され、炭素により一体的に形成される。陽極２０の大きさは、第１の実施の形態と同様で幅が若干大きく、例えば、縦が３０〜４０ｃｍ、横が２０〜３０ｃｍ、幅が２０〜３０ｃｍ程度にすることができる。陽極２０は、陽極上部２１と陽極下部２２が一体的に炭素のみから形成されているため、陽極２０において接合部分がなく、強度も強く、陽極２０相互の接触部分がなく陽極上部と陽極下部の間で電気的接触抵抗が生ずることがない。
【００４０】
陽極上部２１は、板状に形成され、その上端は上部外壁１１aから外部に向けて突出している。陽極上部２１と、後述する陽極下部２２は、一体に形成されて、１個の炭素のブロックから削りだすことにより形成することができる。
陽極下部２２は、図５に示すように断面が略逆Ｕ字形が２個並んで形成され、陽極下部上辺２２ａ、陽極下部右辺２２ｂ、陽極下部左辺２２ｃ、および陽極下部右辺２２ｂと陽極下部左辺２２ｃの間に設けられた陽極下部中辺２２ｄから形成されている。陽極下部２２の２つの断面略逆Ｕ字形の内部は、それぞれ陽極下部凹部２３となり、それぞれ陰極３０が挿入される。陽極下部２２は、電解槽１０のフッ素含有溶融塩中に挿入され、陰極３０との間で電解が行なわれる。
【００４１】
第２の実施の形態では、陽極下部２２は、２個の断面略逆Ｕ字形に形成され、その２個の断面略逆Ｕ字形の内部に、それぞれ陽極下部凹部２３を有する。そして、そのそれぞれの陽極下部凹部２３に陰極３０を装着して電解をすることができる。このため、陰極３０に対面する陽極２０の表面積を２倍にするとともに、２個の断面略逆Ｕ字形の部分をコンパクトにすることができ、フッ素の発生量の多い、コンパクトなフッ素電解装置を得ることができる。
【００４２】
次に、図６に基づき、第３の実施の形態を説明する。第３の実施の形態は、陽極２０の形状が異なり、他の部分は第１の実施の形態と同様であり、異なる分部を中心に説明し、同じ部分は説明を省略する。
図６は、陽極２０の側面図である。陽極２０は、２枚の陽極板２４、２４から構成される。陽極板２４は、それぞれ板状の炭素により一体的に形成される。陽極板２４の大きさは、例えば、縦が３０〜４０ｃｍ、横が２０〜３０ｃｍ、厚さ幅が１〜３ｃｍ程度にすることができる。
【００４３】
この２枚の陽極板２４は、ボルト２９aとナット２９ｂからなる固定具２９により間隔をあけて平行に固定されている。固定具２９は、陽極板２４の上端と中央付近に取付けられる。固定具２９は、白金メッキされた金属、ニッケルまたはステンレス製の耐蝕性の金属で形成される。
陽極板２４は、炭素のみからなる１枚の炭素板から形成されているため、陽極２０内において陽極２０相互の接合部分がなく、強度も強く、接触部分がなく電気的接触抵抗が生ずることがない。
【００４４】
陽極版２４の上端部は、板状に形成され、その上端は上部外壁１１aから外部に向けて突出している。陽極板２４は、上部外壁１１aと絶縁シール材１５を介して絶縁され、固定されている。陽極板２４の上端には電線が接続され、直流電源（図示せず）から電解電流を受電する。
電解槽１０の内部で炭素電極を金属製の保持部材で保持する場合と比べて、炭素電極と金属の接触部分が電解槽１０の内部に存在しなく、炭素電極とその保持部分が腐食性の強いフッ化水素等にさらされることなく、接触抵抗が増加することはない。
【００４５】
間隔をあけて平行に固定された陽極板２４の下部の間に、陰極３０が挿入される。内側隔膜１２aは、陰極３０の周囲に、断面略Ｕ字形に形成される。陽極板２４の下方は、電解槽１０のフッ素含有溶融塩中に挿入され、陰極３０との間で電解が行なわれる。内側隔膜１２aは、多数の孔が設けられ、フッ素含有溶融塩が移動可能であるとともに、電解電流が陽極２０と陰極３０の間を流れることができる。内側隔膜１２aの断面略Ｕ字形の上部は孔が設けられていない。このため陰極３０で発生した水素等の分解ガスは、内側隔膜１２aの断面略Ｕ字形の上部に溜まり、その上部を左右の端部に向けて移動する。
第３の実施の形態の陽極２０は、複数の炭素板が間隔を置いて平行に固定されて形成されている。このため、炭素板を平行に固着すればよく、陽極の製造が容易である。陽極板２４の上端が電解槽の上部外壁から外部に突出して装着されているため、請求項１の発明と同様に電解槽の上部外壁から外部に突出した部分で電解電流を受電することができる。
【００４６】
次に、図７〜図９に基づき、第４の実施の形態を説明する。第４の実施の形態は、陽極２０の形状が異なり、他の部分は第１の実施の形態と同様であり、異なる分部を中心に説明し、同じ部分は説明を省略する。
図７は、陽極２０の正面図、図８は、陽極２０の側面図、図９は、図８における陽極上部２５と陽極下部２６との接合部分の拡大図である。
【００４７】
陽極２０は、陽極上部２５と陽極下部２６から構成され、陽極上部２５は、銅等の金属製であり、断面形状が逆Ｔ字形をなし、陽極下部２６は、炭素のみから形成され、２枚の炭素板である陽極下部右辺２６ｂと陽極下部左辺２６ｃから形成されている。この炭素板は３枚以上並べて取付けることができる。
このため、陽極２０は陽極上部２５と陽極下部２６を別々に形成することができ、別々の素材を使用することができ、製造が容易であり、コストも下げることができる。陽極上部２５は、金属から形成されているため、加工が容易であり、陽極下部２６を取り付けるネジ孔等を容易に形成することができる。
【００４８】
陽極上部２５の上端は上部外壁１１aから外部に向けて突出している。陽極上部２５は、上部外壁１１aと絶縁シール材１５を介して絶縁され、固定されている。陽極上部２５の上端には電線が接続され、直流電源（図示せず）から電解電流を受電する。
陽極上部２５の下部は、水平に板状に形成された陽極上部下辺２５ａを形成し、陽極上部下辺２５ａの両側端に、陽極下部右辺２６ｂと陽極下部左辺２６ｃがそれぞれ固着されている。
【００４９】
その固着方法は、ネジ等の固着具を使用し、例えば、ネジ２８を使用する場合は、陽極上部下辺２５ａの両側の側端面に複数のネジ孔２５ｆを形成し、陽極下部右辺２６ｂと陽極下部左辺２６ｃのそれぞれの上端に、ネジ孔２６ｆ、２６ｆを形成し、そのネジ孔２５ｊ、２６ｆにネジ２８をねじ込んで固着する。このとき、ネジ２８は、耐蝕性の強い白金性あるいは、白金でメッキ等の被覆されたものを使用する。ネジ２８をねじ込んだあとには、ネジ孔２６ｆにパッキン２８aを詰めてシールする。さらに、ネジ孔２５ｊ、２６ｆと、陽極上部下辺２５ａの両側の側端面と陽極下部右辺２６ｂ及び陽極下部左辺２６ｃの接合面には、白金ペーストを塗布し、７００℃程度で焼付けすることが好ましい。
この白金ペーストは、接合面のみならず陽極下部右辺２６ｂ及び陽極下部左辺２６ｃ全体に塗布してもよい。
【００５０】
このため、金属製の陽極上部２５と炭素製の陽極下部２６とを腐食性のないネジで強固に固着でき、固着部分が破損することを減少させることができる。また、白金ペーストを塗布し、７００℃程度で焼付けした場合は、金属製の陽極上部２５と炭素製の陽極下部２６との接触面を確実に白金の膜で保護することができ、電解中にフッ化水素等の腐食性の物質が浸入することがなく、接触抵抗を減少させることができる。
接合面を含む陽極下部右辺２６ｂ及び陽極下部左辺２６ｃの全体に白金ペーストを塗布した場合は、一層耐蝕性を向上させることができる。
【００５１】
本発明の電解槽１０における電気分解は、陽極２０と陰極３０の間に、５〜１５Ｖの電圧で、陽極２０の表面積あたり１〜１０Ａ／ｄｍ２の電流を流して行うことができる。これによって、フッ素ガスを１０〜１０００cm３／分程度発生させることができる。したがって、例えば半導体の製造工程で、個々の工程ごとにフッ素電解装置を設置して、製造工程に合わせてフッ素ガスを発生させることができ、製造工程において多量のボンベを保管する必要がない。
【図面の簡単な説明】
【００５２】
【図１】本発明の第１の実施の形態であるフッ素電解装置の模式図である。
【図２】本発明の第１の実施の形態である図１の中央部分での断面図である。
【図３】本発明の第１の実施の形態である陽極の正面図である。
【図４】本発明の第１の実施の形態である陽極の側面図である。
【図５】本発明の第２の実施の形態である陽極の側面図である。
【図６】本発明の第３の実施の形態である陽極の側面図である。
【図７】本発明の第４の実施の形態である陽極の正面図である。
【図８】本発明の第４の実施の形態である陽極の側面図である。
【図９】本発明の第４の実施の形態である陽極の側面の部分拡大図である。
【符号の説明】
【００５３】
１０  電解槽
１１  電解槽外壁
１２  隔膜
２０  陽極
２１、２５  陽極上部
２２、２６  陽極下部
２３、２７  陽極下部凹部
２９  固定具
３０  陰極
【図１】
2006089820.tif 000003
【図２】
2006089820.tif 000004
【図３】
2006089820.tif 000005
【図４】
2006089820.tif 000006
【図５】
2006089820.tif 000007
【図６】
2006089820.tif 000008
【図７】
2006089820.tif 000009
【図８】
2006089820.tif 000010
【図９】
2006089820.tif 000011